(57)【要約】【課題】温度に応じた適切な駆動方法で駆動することが可能な電気泳動表示装置、電子機器及び電気泳動表示装置の制御方法を提供すること。【解決手段】電気泳動表示装置の制御部は、共通電極と画素電極に電圧を印加し、表示部に表示される画像を書き換える制御を行い、温度センサーで検出された温度が基準温度以上の場合には、共通電極に印加する電位を固定として、画素電極に、共通電極に印加する電位よりも高い又は低い電位又は共通電極に印加する電位と同じ電位を印加する第１モードによって制御を行い、温度センサーで検出された温度が基準温度未満の場合には、画素電極に第１電位又は第２電位を印加するとともに、共通電極に第１電位と第２電位とを交互に繰り返す電位を印加する第２モードによって制御を行う。【選択図】図６
2015187677.tif 000002
【特許請求の範囲】
【請求項１】
一対の基板間に電気泳動粒子を挟持する電気泳動表示装置において、
温度を検出する温度センサーと、
前記電気泳動表示装置の画素電極と共通電極に電圧を印加し、前記画素電極と前記共通電極との間に生じた電界によって前記電気泳動粒子を移動させることで前記電気泳動表示装置の表示部に表示される画像を書き換える制御を行う制御部と、を備え、
前記制御部は、
前記温度センサーで検出された温度が基準温度以上の場合には、前記共通電極に印加する電位を固定として、前記画素電極に、前記共通電極に印加する電位よりも高い又は低い電位又は前記共通電極に印加する電位と同じ電位を印加する第１モードによって制御を行い、前記温度センサーで検出された温度が基準温度未満の場合には、前記画素電極に第１電位又は第２電位を印加するとともに、前記共通電極に前記第１電位と前記第２電位とを交互に繰り返す電位を印加する第２モードによって制御を行う、電気泳動表示装置。
【請求項２】
請求項１に記載の電気泳動表示装置において、
前記制御部は、
前記第１モードでは、前記画素電極に前記第１電位、又は前記第２電位以下の第３電位、又は前記第１電位と前記第３電位の間にある第４電位を印加するとともに、前記共通電極に前記第４電位を印加する、電気泳動表示装置。
【請求項３】
請求項２に記載の電気泳動表示装置において、
前記第２電位と前記第３電位は同じである、電気泳動表示装置。
【請求項４】
請求項１乃至３のいずれかに記載の電気泳動表示装置を含む電子機器。
【請求項５】
一対の基板間に電気泳動粒子を挟持し、温度を検出する温度センサーを備えた電気泳動表示装置の制御方法であって、
前記電気泳動表示装置の画素電極と共通電極に電圧を印加し、前記画素電極と前記共通電極との間に生じた電界によって前記電気泳動粒子を移動させることで前記電気泳動表示装置の表示部に表示される画像を書き換える制御を行い、前記温度センサーで検出された温度が基準温度以上の場合には、前記共通電極に印加する電位を固定として、前記画素電極に、前記共通電極に印加する電位よりも高い又は低い電位又は前記共通電極に印加する電位と同じ電位を印加する第１モードによって制御を行い、前記温度センサーで検出された温度が基準温度未満の場合には、前記画素電極に第１電位又は第２電位を印加するとともに、前記共通電極に前記第１電位と前記第２電位とを交互に繰り返す電位を印加する第２モードによって制御を行う、電気泳動表示装置の制御方法。
【発明の詳細な説明】
【技術分野】
【０００１】
本発明は、電気泳動表示装置、電子機器及び電気泳動表示装置の制御方法に関する。
【背景技術】
【０００２】
従来、電気泳動表示の駆動方法として、共通電極にはハイレベル（１５Ｖ）の期間とローレベル（０Ｖ）の期間とを一定周期で繰り返すパルス状の信号が入力され、画素電極にハイレベル又はローレベルの電位が入力される駆動方法が知られている（例えば、特許文献１）。
【先行技術文献】
【特許文献】
【０００３】
【特許文献１】特開２００８−２６８８５３号公報
【発明の概要】
【発明が解決しようとする課題】
【０００４】
上記の電気泳動表示装置の駆動方法では、＋１５Ｖと−１５Ｖのいずれか一方の電位差しか同時に与えることができないため、時分割方式によって＋１５Ｖと−１５Ｖの電位差を与えている。例えば、黒色を表示する画素に対応する画素電極にはハイレベルの電位が入力され、共通電極の電位がローレベルのときのみ電極間に＋１５Ｖの電位差が発生し、共通電極の電位がハイレベルのときには電位差が発生しない。また、白色を表示する画素に対応する画素電極にはローレベルの電位が入力され、共通電極の電位がハイレベルのときのみ電極間に−１５Ｖの電位差が発生し、共通電極の電位がローレベルのときには電位差が発生しない。そのため、上記の駆動方式では、画像の書き換えに要する時間（駆動時間）が長くなっていた。
【０００５】
本発明はこのような問題点に鑑みてなされたものである。本発明のいくつかの態様によれば、駆動時間を短縮することが可能な電気泳動表示装置、電子機器及び電気泳動表示装置の制御方法を提供することができる。
【課題を解決するための手段】
【０００６】
（１）本発明は、一対の基板間に電気泳動粒子を挟持する電気泳動表示装置において、
温度を検出する温度センサーと、
前記電気泳動表示装置の画素電極と共通電極に電圧を印加し、前記画素電極と前記共通電極との間に生じた電界によって前記電気泳動粒子を移動させることで前記電気泳動表示装置の表示部に表示される画像を書き換える制御を行う制御部と、を備え、
前記制御部は、
前記温度センサーで検出された温度が基準温度以上の場合には、前記共通電極に印加する電位を固定として、前記画素電極に、前記共通電極に印加する電位よりも高い又は低い電位又は前記共通電極に印加する電位と同じ電位を印加する第１モードによって制御を行い、前記温度センサーで検出された温度が基準温度未満の場合には、前記画素電極に第１電位又は第２電位を印加するとともに、前記共通電極に前記第１電位と前記第２電位とを交互に繰り返す電位を印加する第２モードによって制御を行う。
【０００７】
本発明によれば、温度が高いときには、共通電極に印加する電位を固定とし、これより高い又は低い電位を画素電極に印加する（例えば、第１色を表示させる画素に対応する画素電極には共通電極に印加される電位よりも高い電位が印加され、第２色を表示させる画素に対応する画素電極には共通電極に印加される電位よりも低い電位が印加される）第１
モードの制御を行うことで、異なる電位差を同時に与える（例えば、第１色を表示させる画素に対応する電極間に正の電位差を与えると同時に、第２色を表示させる画素に対応する電極間に負の電位差を与える）ことができ、駆動時間を短縮することができる。また、温度が低いときには、大きな電位差（第１電位と第２電位の差に相当する電位差）を与えることが可能な第２モードの制御を行うことで、画像の書き換え時間が長くなる低温時において、駆動時間が長くなりすぎることを抑制することができる。すなわち、温度に応じて適切な制御モードを選択する（第１のモードと第２のモードとを切り替える）ことで駆動時間を短縮することができる。
【０００８】
（２）また本発明において、
前記制御部は、
前記第１モードでは、前記画素電極に前記第１電位、又は前記第２電位以下の第３電位、又は前記第１電位と前記第３電位の間にある第４電位を印加するとともに、前記共通電極に前記第４電位を印加してもよい。
【０００９】
ここで、第２電位は第３電位以上であり、第３電位は第４電位より大きく、第４電位は第１電位より大きい。
【００１０】
本発明によれば、温度が高いときには、第１モードで制御することで、第４電位と第３電位の差に相当する電位差と第４電位と第１電位の差に相当する電位差とを同時に与えることができ、駆動時間を短縮することができる。また、画像の書き換え時間が長くなる低温時には、第２モードで制御することで、第１電位と第２電位（第２電位は第３電位以上）の差に相当する大きな電位差を与えることができ、駆動時間が長くなりすぎることを抑制することができる。
【００１１】
（３）また本発明において、
前記第２電位と前記第３電位は同じであってもよい。
【００１２】
本発明によれば、第２モードにおいて画素電極に印加する第２電位と第１モードにおいて画素電極に印加する第３電位を同じにすることで、電源回路の構成を簡素化することができる。
【００１３】
（４）また本発明は、前記電気泳動表示装置を含む電子機器であってもよい。
【００１４】
（５）本発明は、一対の基板間に電気泳動粒子を挟持し、温度を検出する温度センサーを備えた電気泳動表示装置の制御方法であって、
前記電気泳動表示装置の画素電極と共通電極に電圧を印加し、前記画素電極と前記共通電極との間に生じた電界によって前記電気泳動粒子を移動させることで前記電気泳動表示装置の表示部に表示される画像を書き換える制御を行い、前記温度センサーで検出された温度が基準温度以上の場合には、前記共通電極に印加する電位を固定として、前記画素電極に、前記共通電極に印加する電位よりも高い又は低い電位又は前記共通電極に印加する電位と同じ電位を印加する第１モードによって制御を行い、前記温度センサーで検出された温度が基準温度未満の場合には、前記画素電極に第１電位又は第２電位を印加するとともに、前記共通電極に前記第１電位と前記第２電位とを交互に繰り返す電位を印加する第２モードによって制御を行う。
【００１５】
本発明によれば、温度が高いときには、共通電極に印加する電位を固定とし、これより高い又は低い電位を画素電極に印加する第１モードの制御を行うことで、異なる電位差を同時に与えることができ、駆動時間を短縮することができる。また、温度が低いときには、大きな電位差を与えることが可能な第２モードの制御を行うことで、画像の書き換え時
間が長くなる低温時において、駆動時間が長くなりすぎることを抑制することができる。すなわち、温度に応じて適切な制御モードを選択することで駆動時間を短縮することができる。
【図面の簡単な説明】
【００１６】
【図１】本実施形態の電気泳動表示装置のブロック図。
【図２】本実施形態の電気泳動表示装置の画素の構成例を示す図。
【図３】図３（Ａ）は電気泳動素子の構成例を示す図。図３（Ｂ）、図３（Ｃ）は電気泳動素子の動作の説明図。
【図４】第１モードの波形図、反射率の例を示す図。
【図５】第２モードの波形図、反射率の例を示す図。
【図６】本実施形態の制御の流れを示すフローチャート。
【図７】変形例について説明するための図。
【図８】適用例の電子機器のブロック図。
【図９】図９（Ａ）は電子機器の一例である電子時計の図、図９（Ｂ）は電子機器の一例である電子ペーパーの図。
【発明を実施するための形態】
【００１７】
１．構成
図１は、本実施形態のアクティブマトリックス方式の電気泳動表示装置の構成を示す図である。
【００１８】
電気泳動表示装置１０は、表示制御回路６０、表示部３、温度センサー２０を含む。表示制御回路６０は、表示部３を制御する制御部であり、走査線駆動回路６１、データ線駆動回路６２、コントローラー６３、共通電源変調回路６４、記憶部１６０を含む。
【００１９】
走査線駆動回路６１、データ線駆動回路６２、共通電源変調回路６４、記憶部１６０は、それぞれコントローラー６３と接続されている。コントローラー６３は、例えば時刻信号等の入力信号（図外）に基づいて、これらを総合的に制御する。
【００２０】
記憶部１６０は、例えばＶＲＡＭと、例えばフラッシュメモリー等の不揮発性メモリーを含んでいてもよい（図外）。ＶＲＡＭは表示部３に表示させる画像のデータを記憶する。ＶＲＡＭは複数のバンクに分かれており、それぞれが個別のＶＲＡＭとして機能してもよい。また、不揮発性メモリーはＶＲＡＭに記憶されたデータを構成する要素のデータ（例えばパーツデータや背景データ）を記憶する。なお、記憶部１６０は、その他に例えばＳＲＡＭ、ＤＲＡＭ等を含んでいてもよい。
【００２１】
表示部３には、走査線駆動回路６１から延びる複数の走査線６６と、データ線駆動回路６２から延びる複数のデータ線６８とが形成されており、これらの交差位置に対応して複数の画素４０が設けられている。
【００２２】
走査線駆動回路６１は、ｍ本の走査線６６（Ｙ１、Ｙ２、…、Ｙｍ）により各画素４０に接続されている。走査線駆動回路６１は、コントローラー６３の制御に従って１行目からｍ行目までの走査線６６を順次選択することで、画素４０に設けられた駆動用ＴＦＴ４８（図２参照）のオンタイミングを規定する選択信号を供給する。
【００２３】
データ線駆動回路６２は、ｎ本のデータ線６８（Ｘ１、Ｘ２、…、Ｘｎ）により各画素４０に接続されている。データ線駆動回路６２は、コントローラー６３の制御に従って、画素４０のそれぞれに対応する１ビットの画像データを規定する画像信号を画素４０に供給する。なお、本実施形態では、画素データ「０」を規定する場合には、ローレベル（第
１電位に対応）の画像信号を画素４０に供給し、画素データ「１」を規定する場合には、ハイレベル（第２電位又は第３電位に対応）の画像信号を画素４０に供給するものとする。
【００２４】
表示部３には、また、共通電源変調回路６４から延びる低電位電源線４９（Ｖｓｓ）、高電位電源線５０（Ｖｄｄ）、共通電極配線５５（Ｖｃｏｍ）、第１のパルス信号線９１（Ｓ１）、第２のパルス信号線９２（Ｓ２）が設けられており、それぞれの配線は画素４０と接続されている。共通電源変調回路６４は、コントローラー６３の制御に従って上記配線のそれぞれに供給する各種信号を生成する一方、これら各配線の電気的な接続及び切断（ハイインピーダンス化、Ｈｉ−Ｚ）を行う。
【００２５】
温度センサー２０は、表示部３の温度（或いは、表示部３の近傍の温度）を検出するサーミスター等の温度センサーであり、コントローラー６３と接続されている。コントローラー６３は、温度センサー２０で検出された温度（温度センサー２０からの検出信号）に基づいて、後述する２つの制御方法（駆動方法）である第１モードと第２モードとを切り替える制御を行う。
【００２６】
図２は、図１の画素４０の回路構成図である。なお、図１と同じ配線には同じ番号を付しており、説明は省略する。また、全画素に共通の共通電極配線５５については記載を省略している。
【００２７】
画素４０には、駆動用ＴＦＴ（Thin Film Transistor）４８と、ラッチ回路７０と、スイッチ回路８０が設けられている。画素４０は、ラッチ回路７０により画像信号を電位として保持するＳＲＡＭ（Static Random Access Memory）方式の構成をとる。
【００２８】
駆動用ＴＦＴ４８は、Ｎ−ＭＯＳトランジスタからなる画素スイッチング素子である。駆動用ＴＦＴ４８のゲート端子は走査線６６に接続され、ソース端子はデータ線６８に接続され、ドレイン端子はラッチ回路７０のデータ入力端子に接続されている。ラッチ回路７０は転送インバーター７０ｔと帰還インバーター７０ｆとを備えている。転送インバーター７０ｔ、帰還インバーター７０ｆには、低電位電源線４９（Ｖｓｓ）と高電位電源線５０（Ｖｄｄ）から電源電圧が供給される。
【００２９】
スイッチ回路８０は、トランスミッションゲートＴＧ１、ＴＧ２からなり、ラッチ回路７０に記憶された画素データのレベルに応じて、画素電極３５（図３（Ｂ）、図３（Ｃ）参照）に信号を出力する。なお、Ｖａは、１つの画素４０の画素電極へ供給される電位（信号）を意味する。
【００３０】
ラッチ回路７０に画素データ「１」（ハイレベルの画像信号）が記憶されて、トランスミッションゲートＴＧ１がオン状態となると、スイッチ回路８０はＶａとして信号Ｓ１を供給する。一方、ラッチ回路７０に画素データ「０」（ローレベルの画像信号）が記憶されて、トランスミッションゲートＴＧ２がオン状態となると、スイッチ回路８０はＶａとして信号Ｓ２を供給する。このような回路構成により、表示制御回路６０はそれぞれの画素４０の画素電極に対して供給する電位（信号）を制御することが可能である。
【００３１】
２．表示方式
本実施形態の電気泳動表示装置１０は、二粒子系マイクロカプセル型の電気泳動方式であるとする。分散液は無色透明、電気泳動粒子は白色又は黒色のものであるとすると、白色又は黒色の２色を基本色として少なくとも２色を表示できる。ここでは、電気泳動表示装置１０は、基本色として黒色と白色とを表示可能であるとして説明する。そして、黒色を表示している画素を白色で表示すること、又は白色を表示している画素を黒色で表示す
ることを反転と表現する。
【００３２】
図３（Ａ）は、本実施形態の電気泳動素子１３２の構成を示す図である。電気泳動素子１３２は素子基板１３０と対向基板１３１（図３（Ｂ）、図３（Ｃ）参照）との間に挟まれている。電気泳動素子１３２は、複数のマイクロカプセル１２０を配列して構成される。マイクロカプセル１２０は、例えば無色透明な分散液と、複数の白色の電気泳動粒子（白色粒子１２７）と、複数の黒色の電気泳動粒子（黒色粒子１２６）とを封入している。本実施形態では、例えば白色粒子１２７は負に帯電しており、黒色粒子１２６は正に帯電しているとする。
【００３３】
図３（Ｂ）は、電気泳動表示装置１０の表示部３の部分断面図である。素子基板１３０と対向基板１３１は、マイクロカプセル１２０を配列してなる電気泳動素子１３２を挟持している。表示部３（図１参照）は、素子基板１３０の電気泳動素子１３２側に、複数の画素電極３５が形成された駆動電極層３５０を含む。図３（Ｂ）では、画素電極３５として画素電極３５Ａと画素電極３５Ｂが示されている。画素電極３５により、画素ごとに電位を供給することが可能である（例えば、Ｖａ、Ｖｂ）。ここで、画素電極３５Ａを有する画素を画素４０Ａとし、画素電極３５Ｂを有する画素を画素４０Ｂとする。画素４０Ａ、画素４０Ｂは画素４０（図１、図２参照）に対応する２つの画素である。
【００３４】
一方、対向基板１３１は透明基板であり、表示部３において対向基板１３１側に画像表示がなされる。表示部３は、対向基板１３１の電気泳動素子１３２側に、平面形状の共通電極３７が形成された共通電極層３７０を含む。なお、共通電極３７は透明電極である。共通電極３７は、画素電極３５と異なり全画素に共通の電極であり、電位Ｖｃｏｍが供給される。
【００３５】
共通電極層３７０と駆動電極層３５０との間に設けられた電気泳動表示層３６０に電気泳動素子１３２が配置されており、電気泳動表示層３６０が表示領域となる。共通電極３７と画素電極（例えば、３５Ａ、３５Ｂ）との間の電位差に応じて、画素毎に所望の表示色を表示させることができる。
【００３６】
図３（Ｂ）では、共通電極側の電位Ｖｃｏｍが画素４０Ａの画素電極の電位Ｖａよりも高電位である。このとき、負に帯電した白色粒子１２７が共通電極３７側に引き寄せられ、正に帯電した黒色粒子１２６が画素電極３５Ａ側に引き寄せられるため、画素４０Ａは白色を表示していると視認される。
【００３７】
図３（Ｃ）では、共通電極側の電位Ｖｃｏｍが画素４０Ａの画素電極の電位Ｖａよりも低電位である。このときは逆に、正に帯電した黒色粒子１２６が共通電極３７側に引き寄せられ、負に帯電した白色粒子１２７が画素電極３５Ａ側に引き寄せられるため、画素４０Ａは黒色を表示していると視認される。なお、図３（Ｃ）の構成は図３（Ｂ）と同様であり説明は省略する。また、図３（Ｂ）、図３（Ｃ）ではＶａ、Ｖｂ、Ｖｃｏｍを固定された電位として説明したが、実際にはＶａ、Ｖｂ、Ｖｃｏｍは時間とともに電位が変化する場合もある。以下では、電位Ｖａ、Ｖｂ、Ｖｃｏｍを与える信号を駆動信号という。
【００３８】
３．制御方式
３−１．第１モード
次に、本実施形態で採用される制御方法の１つである第１モードについて説明する。
【００３９】
図４（Ａ）は、第１モードによって、画素４０Ａを黒色から白色に、画素４０Ｂを白色から黒色に変化させる場合の波形図を示す。なお、図４（Ａ）のＶａ、Ｖｂ、Ｖｃｏｍは図３（Ｂ）〜図３（Ｃ）と同じであり、説明を省略する。また、図４（Ａ）のＨｉ−Ｚは
、ハイインピーダンス状態を示す。
【００４０】
第１モードでは、共通電極３７に５Ｖ（第４電位の一例）を印加し、画素電極（例えば、３５Ａ、３５Ｂ）に０Ｖ（第１電位の一例）又は１０Ｖ（第３電位の一例）を印加する。図４（Ａ）に示す例では、画素電極３５Ａの電位Ｖａは０Ｖであり、画素電極３５Ｂの電位Ｖｂは１０Ｖである。なお、画素の色を変化させない（画素の色を維持する）場合には、当該画素に対応する画素電極に５Ｖ（共通電極３７に印加する電位と同じ電位）を印加する。
【００４１】
図４（Ｂ）は、図４（Ａ）の例による画素４０Ａ、画素４０Ｂの色（反射率）の変化を示す図である。
【００４２】
画素４０Ａについては、最初に黒色で表示されている。そして、共通電極３７の電位Ｖｃｏｍは５Ｖであり、画素電極３５Ａの電位Ｖａは０Ｖであるから、共通電極３７と画素電極３５Ａとの間に−５Ｖの電位差（図４（Ａ）参照）が生じ、画素４０Ａは白色表示に近づく。
【００４３】
一方、画素４０Ｂについては、最初に白色で表示されている。そして、共通電極３７の電位Ｖｃｏｍは５Ｖであり、画素電極３５Ｂの電位Ｖｂは１０Ｖであるからから、共通電極３７と画素電極３５Ｂとの間に＋５Ｖの電位差（図４（Ａ）参照）が生じ、画素４０Ｂは黒色表示に近づく。
【００４４】
第１モードでは、白色を表示させる画素に対応する電極間に負の電位差（第４電位と第１電位の差に相当する電位差）を与えると同時に、黒色を表示させる画素に対応する電極間に正の電位差（第４電位と第３電位の差に相当する電位差）を与えることができる。すなわち、第１モードでは、白表示と黒表示の書き換えを同時に行うことができるため、時分割方式よりも駆動時間（画像の書き換え時間）を短縮することができる。
【００４５】
３−２．第２モード
次に、本実施形態で採用される制御方法の１つである第２モードについて説明する。
【００４６】
図５（Ａ）は、第２モードによって、画素４０Ａを黒色から白色に、画素４０Ｂを白色から黒色に変化させる場合の波形図を示す。なお、図５（Ａ）のＶａ、Ｖｂ、Ｖｃｏｍは図３（Ｂ）〜図３（Ｃ）と同じであり、説明を省略する。また、図５（Ａ）のＨｉ−Ｚは、ハイインピーダンス状態を示す。
【００４７】
第２モードでは、共通電極３７に０Ｖ（第１電位の一例）と１５Ｖ（第２電位の一例）とを交互に繰り返す電位を印加する。共通電極３７の電位Ｖｃｏｍは１５Ｖと０Ｖとを等しい時間だけ繰り返している。つまり図５（Ａ）のパルス幅Ｔ１（以下、単にＴ１とする）とパルス幅Ｔ２（以下、単にＴ２とする）とは等しい。また第２モードでは、画素電極（例えば、３５Ａ、３５Ｂ）に、０Ｖ又は１５Ｖを印加する。図５（Ａ）に示す例では、画素電極３５Ａの電位Ｖａは０Ｖであり、画素電極３５Ｂの電位Ｖｂは１５Ｖである。
【００４８】
図５（Ｂ）は、図５（Ａ）の例による画素４０Ａ、画素４０Ｂの色（反射率）の変化を示す図である。
【００４９】
画素４０Ａについては、最初に黒色で表示されている。図５（Ｂ）のＴ１に対応する区間では、共通電極３７の電位Ｖｃｏｍは１５Ｖであり、画素電極３５Ａの電位Ｖａは０Ｖであるから、共通電極３７と画素電極３５Ａとの間に−１５Ｖの電位差（図５（Ａ）参照）が生じ、画素４０Ａは白色表示に近づく。図５（Ｂ）のＴ２に対応する区間では、電位
Ｖｃｏｍと電位Ｖａともに０Ｖであり、共通電極３７と画素電極３５Ａとの間に電位差が生じないため、画素４０Ａの色は維持される。そして、最終的には画素４０Ａは黒色から白色に変化する。
【００５０】
一方、画素４０Ｂについては、最初に白色で表示されている。図５（Ｂ）のＴ１に対応する区間では、共通電極３７の電位Ｖｃｏｍと画素電極３５Ｂの電位Ｖｂはともに１５Ｖであり、共通電極３７と画素電極３５Ｂとの間に電位差が生じないため、画素４０Ｂの色は維持される。図５（Ｂ）のＴ２に対応する区間では、電位Ｖｃｏｍは０Ｖであり、電位Ｖｂは１５Ｖであるから、共通電極３７と画素電極３５Ｂとの間に＋１５Ｖの電位差（図５（Ａ）参照）が生じ、画素４０Ｂは黒色表示に近づく。そして、最終的には画素４０Ｂは白色から黒色に変化する。
【００５１】
第２モードでは、電極間に負の電位差と正の電位差を同時に与えることはできないものの、第１モードよりも大きな電位差（第１電位と第２電位の差に相当する電位差）を電極間に与えることができる。
【００５２】
４．本実施形態の手法
本実施形態の手法では、温度センサー２０で検出された温度が基準温度（例えば、１０℃）以上の場合に、第１モードによって画像を書き換える制御を行い、検出された温度が基準温度未満の場合に、第２モードによって画像を書き換える制御を行う。
【００５３】
本実施形態によれば、温度が高いとき（例えば、常温時）には、第１モードで制御することで、時分割方式よりも駆動時間（画像の書き換え時間）を短縮することができ、また、画像の書き換え時間が長くなる低温時には、第１モードよりも大きな電位差を与えることが可能な第２のモードで制御することで、駆動時間の長大化を抑制することができる。低温時には、電気泳動素子１３２の分散液の粘性が高くなるため、画像の書き換えに大きなエネルギーが必要となる。このエネルギーを短時間で得るために、低温時には±１５Ｖの電位差を与えることが可能な第２のモードに切り替える。第２のモードは、時分割方式のため２倍の時間が必要になるが、駆動電圧が第１モードの駆動電圧（５Ｖ）の３倍であるため、第１モードと比べて２／３の駆動時間で必要なエネルギーを得ることができる。
【００５４】
なお、第２モードにおいて電極間に±１５Ｖの電位差を与えるための構成として、共通電極の電位を１５Ｖとし、画素電極の電位を０Ｖ又は３０Ｖとする（駆動電圧を３０Ｖとする）ような構成も考えられる。しかしながら、本実施形態では、図２に示す回路を実現するために、耐圧が２０Ｖ程度のＴＦＴ素子を用いており、このような構成をとり得ない。そこで、本実施形態では、低温時には、時分割方式の第２モードに切り替えることで、低い駆動電圧（１５Ｖの駆動電圧）でも大きな電位差（±１５Ｖの電位差）を電極間に与えることができるようにしている。
【００５５】
図６は、本実施形態の電気泳動表示装置の制御部が行う制御の流れを示すフローチャートである。
【００５６】
制御部では、温度センサー２０からの検出信号（検出値）に基づき温度が基準温度以上であるか否かが判定され（ステップＳ１０）、基準温度以上である場合（ステップＳ１０のＹ）には、共通電極３７に５Ｖを印加し、画素電極３５に０Ｖ又は１０Ｖ又は５Ｖを印加する第１モードの制御が実行される（ステップＳ１２）。
【００５７】
一方、基準温度未満である場合（ステップＳ１０のＮ）には、共通電極３７に０Ｖと１５Ｖとを交互に繰り返す電位を印加し、画素電極３５に０Ｖ又は１５Ｖを印加する第２モードの制御が実行される（ステップＳ１４）。
【００５８】
なお、ステップＳ１０では、画像の書き換えの直前のタイミングで検出された検出値に基づいて温度の判定を行うことが好ましい。
【００５９】
５．変形例
本発明の技術範囲は上記実施形態に限定されるものではなく、本発明の趣旨を逸脱しない範囲で適宜変更を加えることができる。
【００６０】
上記実施形態では、第１モードにおいて、画素電極に印加する第３電位を１０Ｖ（第３電位を第２電位以下）とし、共通電極に印加する第４電位を５Ｖとした場合について説明したが、第３電位を、第２モードにおいて画素電極に印加する第２電位と同じとしてもよい。すなわち、第３電位を１５Ｖとしてもよい。例えば、図７に示すように、第１モードにおいて、共通電極３７の電位Ｖｃｏｍを７．５Ｖ（第４電位の他の例）とし、白表示とする画素に対応する画素電極３５Ａの電位Ｖａを０Ｖとし、黒表示とする画素に対応する画素電極３５Ｂの電位Ｖｂを１５Ｖ（第３電位の他の例）としてもよい。この場合、共通電極３７と画素電極３５Ａとの間に−７．５Ｖの電位差が生じ、共通電極３７と画素電極３５Ｂとの間に＋７．５Ｖの電位差が生じることになる。このように、第１モードにおいて画素電極に印加する第３電位を、第２モードにおいて画素電極に印加する第２電位と同じにすることで、電源回路の構成を簡素化することができる。
【００６１】
上記実施形態においては、電気泳動表示装置は、黒粒子および白粒子による白黒二粒子系の電気泳動が行われるものに限られず、青白等の一粒子系の電気泳動を行っても良く、また、白黒以外の組み合わせでも構わない。
【００６２】
上記実施形態の電気泳動表示装置は、例えば時刻表示を行う電子時計などの電子機器に適用できる。図８は適用例に係る電子機器１のブロック図である。電子機器１は、ＣＰＵ２、入力部４、記憶部５、電気泳動表示装置１０を含む。電気泳動表示装置１０は、上記実施形態の電気泳動表示装置であって、様々な画像を表示する表示部３と図示しない温度センサーを含む。ＣＰＵ２は、他のブロックを制御し様々な演算や処理を行う。ＣＰＵ２は、例えば記憶部５からプログラムを読み込み、プログラムに従って電気泳動表示装置１０に時刻信号などを入力してもよい。入力部４は、例えば電子機器１の使用者からの指示を受け取り、指示に応じた信号を他のブロックに出力してもよい。記憶部５は、例えばＤＲＡＭやＳＲＡＭなどのメモリーであってもよいし、ＲＯＭを含んでいてもよい。ＣＰＵ２が使用するプログラムは、例えば記憶部５が含むＲＯＭに書かれていてもよい。表示部３は、電気泳動表示装置１０の一部であって、例えば時刻を表示したり、文字、写真などを表示したりしてもよい。
【００６３】
図９（Ａ）〜図９（Ｂ）に、電子機器の具体例を示す。図９（Ａ）は電子機器の１つである電子時計１０００の正面図である。電子時計１０００は、例えば腕時計であり、時計ケース１００２と、時計ケース１００２に連結された一対のバンド１００３とを備える。時計ケース１００２の正面には、電気泳動表示装置１０の表示部３（図８参照）である表示部１００４が設けられ、時刻表示１００５を行っている。時計ケースの側面には、２つの操作ボタン１０１１と１０１２とが設けられ、入力部４（図８参照）として機能する。また、例えば図９（Ｂ）は電子機器の１つである電子ペーパー１１００の斜視図である。電子ペーパー１１００は可撓性を有し、電気泳動表示装置１０の表示部３（図８参照）である表示領域１１０１と、本体１１０２とを備えている。
【００６４】
前記の適用例の電子時計は、腕時計に限らず、置き時計、掛け時計、懐中時計などの時計機能を有する機器に広く適用できる。
【符号の説明】
【００６５】
１  電子機器、２  ＣＰＵ、３  表示部、４  入力部、５  記憶部、１０  電気泳動表示装置、２０  温度センサー、３５，３５Ａ，３５Ｂ  画素電極、３７  共通電極、４０，４０Ａ，４０Ｂ  画素、４８  駆動用ＴＦＴ、４９  低電位電源線、５０  高電位電源線、５５  共通電極配線、６０  表示制御回路（制御部）、６１  走査線駆動回路、６２  データ線駆動回路、６３  コントローラー、６４  共通電源変調回路、６６  走査線、６８  データ線、７０  ラッチ回路、７０ｆ  帰還インバーター、７０ｔ  転送インバーター、８０  スイッチ回路、９１  第１のパルス信号線、９２  第２のパルス信号線、１２０  マイクロカプセル、１２６  黒色粒子、１２７  白色粒子、１３０  素子基板、１３１  対向基板、１３２  電気泳動素子、１６０  記憶部、３５０  駆動電極層、３６０  電気泳動表示層、３７０  共通電極層、１０００  電子時計、１００２  時計ケース、１００３  バンド、１００４  表示部、１００５  時刻表示、１０１１，１０１２  操作ボタン、１１００  ：電子ペーパー、１１０１  表示領域、１１０２  本体
【図１】
2015187677.tif 000003
【図２】
2015187677.tif 000004
【図３】
2015187677.tif 000005
【図４】
2015187677.tif 000006
【図５】
2015187677.tif 000007
【図６】
2015187677.tif 000008
【図７】
2015187677.tif 000009
【図８】
2015187677.tif 000010
【図９】
2015187677.tif 000011